(57)【要約】【課題】カードコネクタ装置の破損を防止する挿入口付電気機器を提供する。【解決手段】情報記憶媒体が挿入される挿入口１４と、該挿入口１４から挿入された情報記憶媒体４の装着に応じて情報記憶媒体４を排出するための排出ボタン２２の操作が可能となるカードコネクタ装置２０と、該カードコネクタ装置２０に装着された情報記憶媒体４の挿入口１４からの抜けを防止する抜け防止部材１６と、を備え、抜け防止部材１６を解除してカードコネクタ装置２０から情報記憶媒体４を排出する挿入口付電気機器において、抜け防止部材１６に連動し、情報記憶媒体４がカードコネクタ装置２０に装着された状態では前記操作に応じた排出ボタン２２の移動を不能とし、抜け防止部材１６の解除に応じて排出ボタン２２の移動を可能とする規制部材３１を備えることを特徴とする。【選択図】　図２
2004103446.tif 000002
【特許請求の範囲】
【請求項１】
情報記憶媒体が挿入される挿入口と、該挿入口から挿入された前記情報記憶媒体の装着に応じて当該情報記憶媒体を排出するための排出ボタンの操作が可能となるカードコネクタ装置と、該カードコネクタ装置に装着された前記情報記憶媒体の前記挿入口からの抜けを防止する抜け防止部材と、を備え、前記抜け防止部材を解除して前記カードコネクタ装置から前記情報記憶媒体を排出する挿入口付電気機器において、
前記抜け防止部材に連動し、前記情報記憶媒体が前記カードコネクタ装置に装着された状態では前記操作に応じた前記排出ボタンの移動を不能とし、前記抜け防止部材の解除に応じて前記排出ボタンの移動を可能とする規制部材を備える
ことを特徴とする挿入口付電気機器。
【請求項２】
前記排出ボタンに連動し、前記情報記憶媒体の排出操作に応じて当該排出ボタンを移動させる連動部材をさらに備え、
前記規制部材は、前記情報記憶媒体が前記カードコネクタ装置に装着された状態では前記操作に応じた前記連動部材の移動を不能とし、前記抜け防止部材の解除に応じて前記連動部材の移動を可能とする
ことを特徴とする請求項１に記載の挿入口付電気機器。
【請求項３】
前記抜け防止部材は、抜け防止状態に復帰するように付勢される構成となっており、
前記抜け防止部材が抜け防止状態から解除されると、その解除状態を保持する保持部材をさらに備える
ことを特徴とする請求項１又は２に記載の挿入口付電気機器。
【請求項４】
前記カードコネクタ装置に対する前記情報記憶媒体の装着に応じて前記保持部材による前記抜け防止部材の保持を解除させる解除部材をさらに備える
ことを特徴とする請求項３に記載の挿入口付電気機器。
【発明の詳細な説明】
【０００１】
【発明の属する技術分野】
本発明は、挿入口付電気機器に関し、より詳細には、情報記憶媒体が挿入される挿入口と、該挿入口から挿入された前記情報記憶媒体の装着に応じて当該情報記憶媒体を排出するための排出ボタンの操作が可能となるカードコネクタ装置と、該カードコネクタ装置に装着された前記情報記憶媒体の前記挿入口からの抜けを防止する抜け防止部材と、を備え、前記抜け防止部材を解除して前記カードコネクタ装置から前記情報記憶媒体を排出する挿入口付電気機器に関するものである。
【０００２】
【従来の技術】
デジタルタコグラフ、自動料金収受システム（ＥＴＣ：Ｅｌｅｃｔｒｏｎｉｃ　Ｔｏｌｌ　Ｃｏｌｌｅｃｔｉｏｎ　Ｓｙｓｔｅｍ）用の車載器等、この種の電気機器は、情報記憶媒体であるメモリカード、ＩＣカード等のカードを挿入するための挿入口と、この挿入口より挿入されたカードが装着されるカードコネクタ装置と、を有している。
【０００３】
図５の電気機器の概観の一例を示す斜視図に示すように、車両等に搭載される電気機器であるデジタルタコグラフは、フロントケース１、上ケース２及び下ケース３により箱状の筐体全体の外形が構成されている。この筐体の内部には、情報記録媒体であるカード４用のカードコネクタ装置等の製品内機が収容されている（例えば、特許文献１参照）。なお、上記フロントケース１、上ケース２及び下ケース３は例えば、プラスティックで形成される。
【０００４】
図６は図５に示す電気機器のフロントケースの正面図であり、上記フロントケース１の前面には、スイッチ１１、ディスプレイ１２、ランプ１３、挿入口１４及びイジェクトボタン１５等が配設されている。スイッチ１１は例えば、終了スイッチ１１Ａ、切替スイッチ１１Ｂ、Ａスイッチ１１Ｃ、Ｂスイッチ１１Ｄ等であり、これによりデジタルタコグラフの立ち上げ、機能切替等が指令入力される。ディスプレイ１２は、運行情報等を表示する。ランプ１３は例えば、ＯＫ（正常）表示用ランプ１３Ａ、ＡＬＭ（警報）表示用ランプ１３Ｂ、ＣＡＲＤ（カードデータ処理中）表示用ランプ１３Ｃ等である。
【０００５】
挿入口１４は、フロントケース１の前面部にスリット状に形成され、筐体内に収容される前記カードコネクタ装置に装着される上記カード４が図中矢印で示す方向から挿入される。そして、この挿入口１４は、フロントケース１の前面部の裏側から、この挿入口１４を開又は閉状態にする後述するシャッター（不図示）により覆われている。そして、この挿入口１４に、挿入されたカードを取り出すためのイジェクトボタン１５が隣設されている。
【０００６】
また、電気機器は主に車両に搭載されるため、車両の走行中における振動等によってカード４が前記カードコネクタ装置から抜け落ちることを防止するスライドボタン１６が挿入口１４に隣接されている。スライドボタン１６は、挿入口１４の一部を覆うように内部機構（図示せず）によって通常位置に付勢され、この付勢方向とは反対方向にスライドさせることで、挿入口１４に対するカード４の挿入及び排出が可能となるように設けている。そして、スライドボタン１６が前記反対方向にスライドされ、挿入口１４からカード４が挿入されて前記カードコネクタ装置に装着されると、スライドボタン１６は前記付勢力によって前記通常位置に復帰する。よって、スライドボタン１６は、前記カードコネクタ装置に装着されたカード４の一部を係止することになるため、カード４が前記カードコネクタ装置から抜けることを防止している。
【０００７】
図７はカードコネクタ装置のカード挿入時の内部機構を示す図であり、図８はカードコネクタ装置のカード排出時の内部機構を示す図である。上述した電気機器の筐体に設けられる基板に実装されるカードコネクタ装置２０は、図７及び図８に示すように、前記電気機器の挿入口１４から挿入されたカード４に連動して移動するトレイ２１と、上述したイジェクトボタン１５と連動してカード４を排出するための排出ボタン２２と、トレイ２１の移動を排出ボタン２２に伝達すると共に排出ボタン２２の移動をトレイ２１に伝達する伝達部材２３と、挿入されたカード４と電気的に接続するコネクタ２４と、を備える。なお、カードコネクタ装置２０によっては、排出ボタン２２をそのままフロントケース１から突出させる構成とする場合もある。
【０００８】
カードコネクタ装置２０は、その本体がプラスチックで形成されており、その内側にはトレイ２１がスライド可能に填め込まれるガイド溝と、金属で形成された伝達部材２３を軸支するボス２５と、を有している。そして、トレイ２１は伝達部材２３が係止する係止片２１ａを有し、コネクタ２４寄りの一端は、コネクタ２４に接続されたカード４をコネクタ４から外して図中矢印Ｏで示す排出方向Ｏに移動させるためにフック状になっている。
【０００９】
伝達部材２３は、ボス２５が回動自在に嵌合される嵌合孔２３ａと、プラスチックで形成された排出ボタン２２と係止するための係止孔２３ｂと、トレイ２１が図中矢印Ｉで示す挿入方向Ｉに移動したときにその係止片２１ａと係止する挿入用係止部２３ｃと、トレイ２１を排出方向Ｏに移動させるときにその係止片２１ａと係止する排出用係止部２３ｄと、を有している。そして、排出ボタン２２に形成された貫通孔２２ａと伝達部材２３の係止孔２３ｂとをビス等で係止している。
【００１０】
次に、挿入及び排出時のカードコネクタ装置２０の動作を説明する。
前記挿入口１４からカードコネクタ装置２０に前記カード４が挿入されてトレイ２１が前記ガイド溝を挿入方向に移動すると、トレイ２１の係止片２１ａと伝達部材２３の挿入用係止部２３ｃが接触し、伝達部材２３が嵌合孔２３ａを中心として回動することで、図７に示すように、排出ボタン２２は排出方向Ｏに移動されて装置本体から突出する。
【００１１】
前記カード４が挿入された状態で排出ボタン２２が挿入方向Ｉに押されると、排出ボタン２２の移動に応じて伝達部材も嵌合孔２３ａを中心として回動することで、伝達部材２３の排出用係止部２３ｄが排出方向Ｏに移動し、トレイ２１の係止片２１ａに係止すると、トレイ２１が前記ガイド溝を排出方向Ｏに移動する。そして、その移動に応じて前記カード４がコネクタ２４から外れ、前記カード４はトレイ２１によって前記挿入口１４からその一部が排出される。
【００１２】
また、使用中の不用意なカードの抜けを防止する他のＩＣカード装置（カードコネクタ装置）は、ＩＣカードと、このＩＣカード排出時に回すイジェクトつまみと、一方の終端に凹部のある螺旋状の溝を刻んだ円筒と、この円筒と一体となって上記ＩＣカードを押し出すイジェクト盤と、このイジェクト盤及び上記円筒、イジェクトつまみを同軸上にあるコイルばねと、上記シャフトから垂直方向に突出したロックピンと、上記螺旋状の溝と噛み合うガイドピンと、上記ＩＣカード内の電極と電気的に接続するコンタクトピンとで構成され、上記イジェクトつまみを回すことでシャフトを介して繋がった円筒を回転し、上記ガイドピンが円筒に刻まれた螺旋状の溝をなぞることによって上記イジェクト盤を押し出させ、上記イジェクト盤が押し出して上記ＩＣカードを排出することを特徴としている（例えば、特許文献２）。
【００１３】
このようなＩＣカード装置によれば、ボタンを押す操作ではなく、つまみを回す動作によりカードを排出することで、コネクタ全体のサイズが大きくなることを防止している。しかしながら、上述したデジタルタコグラフは車両に搭載され、その操作は運転者、作業者等が行うことから、カードの排出操作は簡単なものが望まれており、デジタルタコグラフには上述した押しボタン式のカードコネクタ装置が主に搭載されている。
【００１４】
【特許文献１】
特開２００２−２０７９６７号公報　（第２−３頁、第６図）
【特許文献２】
特開２０００−２５２００８号公報　（第２−３頁、第１図）
【００１５】
【発明が解決しようとする課題】
上述したデジタルタコグラフでは、挿入口１４にカード４が挿入されると、スライドボタン１６によってカードコネクタ装置２０からのカード４の抜けが防止されている。しかしながら、スライドボタン１６を解除しないままの状態でイジェクトボタン１５が押されると、カードコネクト装置２０は上述した内部機構によってカード４を挿入口１４から排出しようとするが、スライドボタン１６によってその排出が阻止されるため、イジェクトボタン１５がそのまま押され続けると、カードコネクタ装置２０の内部機構（例えば、前記ボス２５等）が破損するという問題が発生していた。
【００１６】
よって本発明は、上述した問題点に鑑み、カードコネクタ装置の破損を防止する挿入口付電気機器を提供することを課題としている。
【００１７】
【課題を解決するための手段】
上記課題を解決するため本発明によりなされた請求項１記載の挿入口付電気機器は、情報記憶媒体が挿入される挿入口と、該挿入口から挿入された前記情報記憶媒体の装着に応じて当該情報記憶媒体を排出するための排出ボタンの操作が可能となるカードコネクタ装置と、該カードコネクタ装置に装着された前記情報記憶媒体の前記挿入口からの抜けを防止する抜け防止部材と、を備え、前記抜け防止部材を解除して前記カードコネクタ装置から前記情報記憶媒体を排出する挿入口付電気機器において、前記抜け防止部材に連動し、前記情報記憶媒体が前記カードコネクタ装置に装着された状態では前記操作に応じた前記排出ボタンの移動を不能とし、前記抜け防止部材の解除に応じて前記排出ボタンの移動を可能とする規制部材を備えることを特徴とする。
【００１８】
上記請求項１に記載した本発明の挿入口付電気機器によれば、規制部材を備えていることから、抜け防止部材が解除されない状態では、規制部材が排出ボタンの移動を不能とし、また、抜け防止部材の解除に応じて排出ボタンの移動を可能とするため、情報記憶媒体の排出が不能な状態でカードコネクタ装置の排出ボタンが操作されることがなくなる。よって、情報記憶媒体が挿入口から排出可能なとき以外はカードコネクタ装置の操作が不能となるため、無理な排出ボタンの操作によるカードコネクタ装置の破損を防止することができる。
【００１９】
上記課題を解決するためになされた請求項２記載の発明は、請求項１に記載の挿入口付電気機器において、前記排出ボタンに連動し、前記情報記憶媒体の排出操作に応じて当該排出ボタンを移動させる連動部材をさらに備え、前記規制部材は、前記情報記憶媒体が前記カードコネクタ装置に装着された状態では前記操作に応じた前記連動部材の移動を不能とし、前記抜け防止部材の解除に応じて前記連動部材の移動を可能とすることを特徴とする。
【００２０】
上記請求項２に記載した本発明の挿入口付電気機器によれば、排出ボタンを連動部材に連動させ、その連動部材を規制部材によって抜け防止部材の解除時のみ移動可能としていることから、連動部材に連動する排出ボタンは抜け防止部材の解除時のみ移動可能となる。よって、規制部材がカードコネクタ装置の排出ボタンを連動部材を介して規制することで、排出ボタンを直接規制する必要がなくなるため、既存のカードコネクタ装置に手を加えることなく、無理な排出ボタンの操作によるカードコネクタ装置の破損を防止することができる。また、外部で情報記憶媒体の移動が阻止されることを考慮していない既存のカードコネクタ装置は、情報記憶媒体が抑えられた状態で排出ボタンが無理に押されると破損し易いが、そのようなカードコネクタ装置の破損も防止することができる。
【００２１】
上記課題を解決するためになされた請求項３記載の発明は、請求項１又は２に記載の挿入口付電気機器において、前記抜け防止部材は、抜け防止状態に復帰するように付勢される構成となっており、前記抜け防止部材が抜け防止状態から解除されると、その解除状態を保持する保持部材をさらに備えることを特徴とする。
【００２２】
上記請求項３に記載した本発明の挿入口付電気機器によれば、抜け防止部材は抜け防止状態からの解除を行う解除操作が行われると、保持部材によってその解除状態が保持される。よって、保持部材がないと解除操作の終了に応じ抜け防止部材は抜け防止状態に復帰してしまうが、保持部材によって抜け防止部材を解除状態に保持することができるため、利用者は情報記憶媒体の挿入操作を片手で行うことが可能となり、操作の簡単化を図ることができる。
【００２３】
上記課題を解決するためになされた請求項４記載の発明は、請求項３に記載の挿入口付電気機器において、前記カードコネクタ装置に対する前記情報記憶媒体の装着に応じて前記保持部材による前記抜け防止部材の保持を解除させる解除部材をさらに備えることを特徴とする。
【００２４】
上記請求項に記載した本発明の挿入口付電気機器によれば、カードコネクタ装置に情報記憶媒体が装着されると、解除部材によって保持部材の保持が解除されるので、抜け防止部材は抜け防止状態に復帰する。よって、抜け防止部材を解除状態で維持するようにしても、カードコネクタ装置に対する情報記憶媒体の装着に応じて自動復帰するので、操作性の向上を図ることができる。
【００２５】
【発明の実施の形態】
以下、本発明に係る挿入口付電気機器の一実施の形態を、図１〜図８の図面を参照して説明する。なお、従来の技術のところで説明したものと同一あるいは相当する部分には同一符号を付してその詳細な説明は省略する。
【００２６】
ここで、図１は本発明の規制部材を有する規制ユニットの分解斜視図であり、図２はカード挿入時のスライドボタンと規制部材との関係を説明するための図であり、図３はカード未挿入時のスライドボタンと規制部材との関係を説明するための図であり、図４は連動部材と排出ボタンとの関係を説明するための図である。
【００２７】
上述したデジタルタコグラフである挿入口付電気機器（以下、電気機器という）は、図５〜図８に示すように、メモリカード等のカード（情報記憶媒体）４が挿入される挿入口（挿入口）１４と、該挿入口１４から挿入された前記カード４の装着に応じて当該カード４を排出するための排出ボタン２２の操作が可能となるカードコネクタ装置２０と、該カードコネクタ装置２０に装着された前記カード４の前記挿入口１４からの抜けを防止するスライドボタン（抜け防止部材）１６と、を備え、前記スライドボタン１６を解除して前記カードコネクタ装置から前記カード４を排出する。
【００２８】
図１〜図４に示すように、電気機器はさらに、前記スライドボタン１６に連動し、前記カード４が前記カードコネクタ装置２０に装着された状態では前記操作に応じた前記排出ボタン２２の移動を不能とし、前記スライドボタン１６の解除に応じて前記排出ボタン２２の移動を可能とする規制部材３１を備える。
【００２９】
規制部材３１は規制ユニット３０に組み込まれており、この規制ユニット３０は、板状のベース部材３０ａとこのベース部材３０ａを覆うカバー３０ｂによりその外形が構成されている。そして、規制ユニット３０は、前記規制部材３１と、カードコネクタ装置２０の前記排出ボタン２２に連動し、前記カード４の排出操作に応じて当該排出ボタン２２を移動させる連動部材３２と、前記排出ボタン２２の排出操作に応じて後述する保持部材による前記スライドボタン１６の保持状態を解除させる解除部材３３と、を有している。
【００３０】
プラスチック等で形成される規制部材３１は、ユニット本体から突出し、フロントケース１の内部でスライドボタン１６に装着されるブッシュ１７に係合する係合部３１ａと、組み付けられるとカバー３０ｂの貫通部３０ｂ１から突出してバネ３４の一方が取り付けられるバネ取付部３１ｂと、連動部材３２の挿入時凹部３２ａ及び未挿入時凹部３２ｂに嵌合される嵌合部３１ｃと、を有している。
【００３１】
金属等で形成される連動部材３２は、規制部材３１の嵌合部３１ｃがカード４の挿入時に嵌合される挿入時凹部３２ａと、カード４の未挿入時に嵌合部３１ｃが嵌合される未挿入時凹部３２ｂと、挿入時凹部３２ａと未挿入時凹部３２ｂに連設して規制部材３１の移動を規制する規制突起３２ｃと、解除部材３３のガイド部３３ａに接した状態で当該ガイド部３３ａをスライドする係止片３２ｄと、連動部材３２の移動範囲を規制して移動可能に組み付ける一対のガイド穴３２ｅと、カードコネクタ装置２０の排出ボタン２２の端部に係合して連動部材３２と排出ボタン２２とを連動させる係合部３２ｆと、を有している。
【００３２】
金属等で形成される解除部材３３はさらに、スライドボタン１６が解除状態の時にブッシュ１７と係止する解除用係止部３３ｂと、連動部材３２の一方のガイド穴３２ｅに貫通する軸支部材が貫通する貫通孔３３ｃと、解除用係止部３３ｂの移動範囲を規制する規制穴３３ｄと、を有している。また、前記ガイド部３３ａには、その中央から隆起するガイド凸部３３ａ１を形成している。
【００３３】
解除部材３３は、連動部材３２の移動に応じて前記係止片３３ｄがガイド凸部３３ａ１に到達すると、貫通孔３３ｃを中心とし、規制穴３３ｄの形状に応じた範囲で、図中矢印Ｆで示す付勢方向Ｆに解除用係止部３３ｂが移動するように２点で回動自在に軸支されている。
【００３４】
規制ユニット３０の組み付けは、ベース部材３０ａ１の取付穴３０ａ１と連動部材３２のガイド穴３２ｅとを重ねた状態で固定部材を貫通させ、その一方の固定部材を解除部材３３の貫通孔３３ｃに貫通させることで、ベース部材３０ａ１上に連動部材３２及び解除部材３３が組み付けられる。その状態で規制部材３１の嵌合部３１ｃを例えば連動部材３２の未挿入時凹部３２ｂに嵌合させ、かつ、規制部材３１の係合部３１ａがベース部材３０ａ１から突出するように組み付けられる。
【００３５】
そして、規制部材３１のバネ取付部３１ｂがカバー３０ｂの貫通部３０ｂ１から突出し、連動部材３２の係合部３２ｆがユニット本体から突出し、前記固定部材がカバー３０ｂの取付穴３０ｂ１を貫通するようにカバー３０ｂが組み付けられる。そして、カバー３０ｂに形成された取付部３０ｂ３とその貫通部３０ｂ１から突出した規制部材３１のバネ取付部３１ｂとにバネ３４が跨設され、規制ユニット３０が形成される。
【００３６】
規制部材３１はバネ３４によって、その嵌合部３１ｃが連動部材３２の挿入時凹部３２ａ若しくは未挿入時凹部３２ｂに嵌合される所定位置となるように付勢方向Ｆに付勢されている。よって、規制部材３１は付勢方向Ｆとは反対方向に移動されても、バネ３４によって所定位置に復帰するようになっていることから、規制部材３１が前記所定位置に位置する状態、かつ、フロントケース１においてスライドボタン１６が挿入口１４の一部を塞ぐ抜け防止状態において、その係合部３１ａをスライドボタン１６に連動するブッシュ１７に係合させることで、スライドボタン１６は抜け防止状態に復帰するように付勢されることとなる。
【００３７】
規制ユニット３０は、カードコネクタ装置２０が組み付けられた電気機器に対し、図４に示すように、ユニット本体から突出した連動部材３２の係合部３２ｆをカードコネクタ装置２０の排出ボタン２２に係合させて当該カードコネクタ装置２０上に組み付けられる。そして、連動部材３２の係合部３２ｆ及び排出ボタン２２がイジェクトボタン１５で覆われると、フロントケース１の内部に位置するブッシュ１７とユニット本体から突出した規制部材３１の係合部３１ａが係合し、かつ、イジェクトボタン１５がフロントケース１から突出可能なように、下ケース３に対し、フロントケース１及び前記上ケースが組み付けられて電気機器が形成される。
【００３８】
また、電気機器のフロントケース１内のスライドボタン１６がスライドされて前記抜け防止状態から解除される位置には、スライドボタン１６に連動するブッシュ１７の係止片１７ａを係止して、当該スライドボタン１６の解除状態を保持する突起状の保持部材４０が形成されている。
【００３９】
スライドボタン１６に対して抜け防止状態からの解除を行う解除操作が行われる、つまり、スライドボタン１６が付勢方向Ｆとは反対方向にスライドされると、スライドボタン１６は保持部材４０によってスライドボタン１６が抜け防止状態に復帰することが阻止され、その解除状態が保持される。よって、保持部材４０がないとスライドボタン１６から手が離される解除操作の終了に応じてスライドボタン１６は抜け防止状態に復帰してしまうが、保持部材４０によってスライドボタン１６を解除状態に保持することができるため、利用者はカード４の挿入操作を片手で行うことが可能となり、操作の簡単化を図ることができる。
【００４０】
次に、本発明に係る電気機器の動作（作用）を説明する。
挿入口１４からカードコネクタ装置２０にカード４を挿入する場合、図２に示すように、スライドボタン１６がスライドされて移動すると、そのブッシュ１７を介して連動する規制部材３１も付勢方向Ｆとは反対方向に移動する。そして、ブッシュ１７の係止片１７ａが保持部材４０に係止されると、スライドボタン１６はその位置で固定され、かつ、連動部材３２の未挿入時凹部３２ｂに嵌合されていた規制部材３１の嵌合部３１ｃは未挿入時凹部３２ｂから外れ、連動部材３２が移動可能となる。また、ブッシュ１７には解除部材３３の解除用係止部３３ｂが当接した状態となる。
【００４１】
この状態でカード４が挿入口１４から挿入され、カード４がカードコネクタ装置２０に装着されると、従来の技術で説明したように、カードコネクタ装置２０の排出ボタン２２が図中矢印Ｏが示す排出方向Ｏに移動され、この排出ボタン２２に連動する連動部材３２も排出方向Ｏに移動されることで、図３に示すように、連動部材３２に装着されたイジェクトボタン１５がフロントケース１から突出し、カードコネクタ装置２０の排出ボタン２２の操作が可能となる。
【００４２】
また、連動部材３２の移動に応じてその係止片３３ｄが移動して解除部材３３のガイド突起３３ａ１に到達すると、上述したように解除部材３３の解除用係止部３３ｂが付勢方向Ｆに移動することから、その移動に応じてブッシュ１７が移動し、その係止片１７ａが保持部材４０を乗り越えることで、バネ３４の付勢力によって規制部材３１が移動してその嵌合部３１ｃが３２ａに挿入時凹部３２ａに嵌合して前記所定位置に自動復帰し、その移動に応じてスライドボタン１６は抜け防止状態に復帰することで、挿入口１４の一部がスライドボタン１６を塞いでカード４の抜けを防止する。このようにスライドボタン１６を自動復帰させることで、利用者は情報記憶媒体の挿入操作を片手で行うことが可能となり、操作の簡単化を図ることができる。
【００４３】
よって、スライドボタン１６が挿入口１４を塞いだ状態では、図３に示すように、規制部材３１の嵌合部３１ｃが連動部材３２の挿入時凹部３２ａに嵌合されていることから、万一、イジェクトボタン１５が挿入方向Ｉにいくら押圧されても、連動部材３２ａが挿入方向Ｉに移動することはない。従って、カード４が装着されてスライドボタン１６が抜け防止状態にあるときは、カードコネクタ装置２０の排出ボタン２２が押圧されることがないため、無理な排出ボタンの操作によるカードコネクタ装置２０の破損を防止することができる。
【００４４】
また、カード４を排出する場合は、挿入時と同様に、スライドボタン１６に対する解除操作を行うことで、規制部材３１の嵌合部３１ｃが連動部材３２の挿入時凹部３２ａから外れるため、この状態でイジェクトボタン１５が押圧されると、連動部材３２が挿入方向Ｉに移動し、この移動に連動してカードコネクタ装置２０の排出ボタン２２も挿入方向Ｉに移動することで、従来の技術で説明したように、カードコネクタ装置２０のコネクタ２４から外れたカード４は挿入口１４から排出される。
【００４５】
以上説明したように、電気機器は規制部材３１を備えていることから、スライドボタン（抜け防止部材）１６が解除されない状態では、規制部材３１が排出ボタン２２の移動を不能とし、また、スライドボタン１６の解除に応じて排出ボタン２２の移動を可能とするため、カード（情報記憶媒体）４の排出が不能な状態でカードコネクタ装置２０の排出ボタン２２が操作されることがなくなる。よって、カード４が挿入口１４から排出可能なとき以外はカードコネクタ装置２０の操作が不能となるため、無理な排出ボタン２２の操作によるカードコネクタ装置２０の破損を防止することができる。
【００４６】
また、排出ボタン２２を連動部材３２に連動させ、その連動部材３２を規制部材３１によってスライドボタン（抜け防止部材）１６の解除時のみ移動可能としていることから、連動部材３２に連動する排出ボタン２２はスライドボタン１６の解除時のみ移動可能となる。よって、規制部材３１がカードコネクタ装置２０の排出ボタン２２を連動部材３２を介して規制することで、排出ボタン２２を直接規制する必要がなくなるため、既存のカードコネクタ装置２０に手を加えることなく、無理な排出ボタン２２の操作によるカードコネクタ装置２０の破損を防止することができる。
【００４７】
なお、上述した本実施の形態では、連動部材３２の移動を規制部材３１で規制する場合について説明したが、本発明はこれに限定するものではなく、規制部材３１でカードコネクタ装置２０の排出ボタン２２やその内部機構を直接規制するなど種々異なる実施の形態とすることができる。
【００４８】
【発明の効果】
以上説明したように請求項１に記載した本発明の挿入口付電気機器によれば、規制部材を備えていることから、抜け防止部材が解除されない状態では、規制部材が排出ボタンの移動を不能とし、また、抜け防止部材の解除に応じて排出ボタンの移動を可能とするため、情報記憶媒体の排出が不能な状態でカードコネクタ装置の排出ボタンが操作されることがなくなる。よって、情報記憶媒体が挿入口から排出可能なとき以外はカードコネクタ装置の操作が不能となるため、無理な排出ボタンの操作によるカードコネクタ装置の破損を防止することができるという効果を奏する。
【００４９】
請求項２に記載の発明によれば、請求項１に記載の発明の効果に加え、排出ボタンを連動部材に連動させ、その連動部材を規制部材によって抜け防止部材の解除時のみ移動可能としていることから、連動部材に連動する排出ボタンは抜け防止部材の解除時のみ移動可能となる。よって、規制部材がカードコネクタ装置の排出ボタンを連動部材を介して規制することで、排出ボタンを直接規制する必要がなくなるため、既存のカードコネクタ装置に手を加えることなく、無理な排出ボタンの操作によるカードコネクタ装置の破損を防止することができるという効果を奏する。また、外部で情報記憶媒体の移動が阻止されることを考慮していない既存のカードコネクタ装置は、情報記憶媒体が抑えられた状態で排出ボタンが無理に押されると破損し易いが、そのようなカードコネクタ装置の破損も防止することができるという効果も奏する。
【００５０】
請求項３に記載の発明によれば、請求項１又は２に記載の発明の効果に加え、抜け防止部材は抜け防止状態から解除を行う解除操作が行われると、保持部材によってその解除状態が保持される。よって、保持部材がないと解除操作の終了に応じ抜け防止部材は抜け防止状態に復帰してしまうが、保持部材によって抜け防止部材を解除状態に保持することができるため、利用者は情報記憶媒体の挿入操作を片手で行うことが可能となり、操作の簡単化を図ることができるという効果を奏する。
【００５１】
請求項４に記載の発明によれば、請求項３に記載の発明の効果に加え、カードコネクタ装置に情報記憶媒体が装着されると、解除部材によって保持部材の保持が解除されるので、抜け防止部材を抜け防止状態に復帰する。よって、抜け防止部材を解除状態で維持するようにしても、カードコネクタ装置に対する情報記憶媒体の装着に応じて自動復帰するので、操作性の向上を図ることができるという効果を奏する。
【図面の簡単な説明】
【図１】本発明の規制部材を有する規制ユニットの分解斜視図である。
【図２】カード挿入時のスライドボタンと規制部材との関係を説明するための図である。
【図３】カード未挿入時のスライドボタンと規制部材との関係を説明するための図である。
【図４】連動部材と排出ボタンとの関係を説明するための図である。
【図５】電気機器の概観の一例を示す斜視図である。
【図６】図５に示す電気機器のフロントケースの正面図である。
【図７】カードコネクタ装置のカード挿入時の内部機構を示す図である。
【図８】カードコネクタ装置のカード排出時の内部機構を示す図である。
【符号の説明】
１４　　　　　挿入口
１６　　　　　スライドボタン（抜け防止部材）
２０　　　　　カードコネクタ装置
２２　　　　　排出ボタン
３０　　　　　規制ユニット
３１　　　　　規制部材
３２　　　　　連動部材
３３　　　　　解除部材
４０　　　　　保持部材
【図１】
2004103446.tif 000003
【図２】
2004103446.tif 000004
【図３】
2004103446.tif 000005
【図４】
2004103446.tif 000006
【図５】
2004103446.tif 000007
【図６】
2004103446.tif 000008
【図７】
2004103446.tif 000009
【図８】
2004103446.tif 000010